(57)【要約】【課題】収差を軽減する単純な構成の形状可変ミラーのミラー面の形状を簡易な方法で算出できることを目的とする。【解決手段】形状可変ミラー１４ａのミラー面の形状は、ツェルニケの多項式の第四項と第五項により近似的に算出される。さらに、ツェルニケの多項式の第四項と第五項を構成するツェルニケ係数Ｃ４とＣ５はＣ５／Ｃ４＝２{１−ｃｏｓ(２φ)}／(ｃｏｓ(２φ)＋３)によりどちらかを一方の変数とする値となる。上記式をツェルニケの多項式に代入することで、形状可変ミラー１４ａのミラーの形状は一次関数として近似され簡易な計算により算出することができる。【選択図】図１
2008097784.tif 000002
【特許請求の範囲】
【請求項１】
レーザーダイオードから出射されるレーザー光を形状可変ミラーによって対物レンズに反射するとともに、上記対物レンズにてレーザー光を光ディスクの読み取り面に集光する光ピックアップ装置と、
上記形状可変ミラーの形状を制御する制御部とを有する記録再生装置において、
上記形状可変ミラーはミラー面の形状を、下記に記すツェルニケの多項式
【数１】
2008097784.tif 000014
の第四項と第五項を用いて算出することで、収差を低減させるとともに、
上記ツェルニケの多項式の第四項と第五項を構成するツェルニケ係数Ｃ４、Ｃ５は、
【数２】
2008097784.tif 000015
の式を満たすことを特徴とする記録再生装置。
【請求項２】
光源から出射される光を対物レンズに反射する形状可変ミラーの形状設計方法において、
上記形状可変ミラーは、反射する光の収差を低減させるためにミラー面の形状を、下記に記すツェルニケの多項式
【数１】
2008097784.tif 000016
の第四項と第五項を用いて算出することを特徴とする形状可変ミラーの形状設計方法。
【請求項３】
上記ツェルニケの多項式の第四項と第五項を構成するツェルニケ係数Ｃ４、Ｃ５は、
【数２】
2008097784.tif 000017
の式を満たすことを特徴とする請求項２に記載の形状可変ミラーの形状設計方法。
【請求項４】
レーザーダイオードから出射されるレーザー光を形状可変ミラーによって対物レンズに反射するとともに、上記対物レンズにてレーザー光を光ディスクの読み取り面に集光する光ピックアップ装置において、
上記形状可変ミラーはミラー面の形状を、下記に記すツェルニケの多項式
【数１】
2008097784.tif 000018
の第四項と第五項を用いて算出することで、収差を低減させたことを特徴とする光ピックアップ装置。
【請求項５】
上記ツェルニケの多項式の第四項と第五項を構成するツェルニケ係数Ｃ４、Ｃ５は、
【数２】
2008097784.tif 000019
の式を満たすことを特徴とする請求項４に記載の光ピックアップ装置。
【発明の詳細な説明】
【技術分野】
【０００１】
光源からの光を対物レンズに反射するミラーを有する光ピックアップ装置に関して、特に、ミラーを最適な形状に変形させることにより収差を補正する光ピックアップ装置に関する。
【背景技術】
【０００２】
記録再生装置は、ＣＤ（Compact Dick)、またはＤＶＤ（Digital Versatile Disk）などの光ディスクの再生および記録を行うため、光ピックアップ装置を使用している。光ピックアップ装置は、光源からの光を光ディスクの読み取り面に集光させ、反射した光を読み取るとともに、光ディスクに所定のデータを記録させるものである。
【０００３】
図８は、従来の光ピックアップ装置１を表す図である。同図より光ピックアップ装置１は、光を照射するレーザーダイオード２と、レーザーダイオードから照射された光を偏光するコリメータレンズ３と、コリメータレンズ３を透過した光を上方に配置された光ディスク１００に照射する形状可変ミラー４と、形状可変ミラー４から照射された光を集光する対物レンズ５と、コリメータレンズ３と形状可変ミラー４との間に位置して、光ディスク１００の読み取り面を反射した光のみを上方に反射させるハーフミラー６と、ハーフミラー６にて反射した光を集光させるシリンドリカルレンズ７と、シリンドリカルレンズ７を介して集光した光を受信してディジタル信号に変換する光検出器８とから構成している。
【０００４】
上述した構成において、レーザーダイオード２から照射された光は、コリメータレンズ３により偏光された後、ハーフミラー６を透過して形状可変ミラー４に照射される。形状可変ミラー４は照射された光を反射して対物レンズ５に照射する。このとき、対物レンズにより光ディスクの読み取り面に収束した光は光ディスク１００の読み取り面上で集光せず、収差を発生させる場合がある。収差の発生原因としては、光ディスク１００のカバー面（表面）から読み取り面まで厚さの違いや、対物レンズ５や形状可変ミラー４の微細な形状の違い等が上げられる。
【０００５】
光の収差を補正する方法として、従来では、形状可変ミラーのｔａｎ方向とｒａｄ方向の形状を同一量だけたわませることで、反射する光を補正して収差の低減をおこなっていた。図９は、形状可変ミラー４と入射した光の反射航路を表す図である。同図より、ｔａｎ方向とは、形状可変ミラーのミラー面に平行な方向であり、かつ対物レンズに入射される光のうち、光ディスク１００の面にもっとも近い光の入射位置と、最も遠い光の入射位置とを結ぶ方向である。また、ｒａｄ方向とは、ミラー面に平行な方向であり、かつｔａｎ方向に垂直な方向である。しかしながら、形状可変ミラー４のｔａｎ方向とｒａｄ方向の形状を同一量だけたわませたとしても、収差を補正しきれない場合が存在する。
【０００６】
また、光の収差を補正する方法として、レーザー光を反射させる円形のミラーと、上記ミラーの裏面に接着され、ミラー面に垂直な方向に厚みを有し、かつミラーの裏面と接触する側の面が扇形の第１〜第４の圧電素子を含むミラーアクチュエータを備える光ピックアップ装置が開示されている。上述した光ピックアップ装置では、上記ミラーと４つの圧電素子で収差を補正する構成としている。このような、光ピックアップ装置では、４つの圧電素子に印加する電圧を調整することにより、ミラーの面形状のｔａｎ方向の曲率半径の比とｒａｄ方向の曲率半径の比とを制御することができる（例えば、特許文献１参照。）。
【０００７】
また、形状可変ミラー（文献では反射ミラー）の表面を印加電圧により形状を変化させる圧膜素子にて形成するとともに、上記形状可変ミラーのミラー面の形状をツェルニケの多項式（Zernike Polynomials)に基づいて変化させ、光の収差を補正する方法が開示されている。（例えば、特許文献２参照。）。
【０００８】
以下にツェルニケの多項式の説明を行うツェルニケの多項式は光の波面を近似するときに使用される多項式である。ツェルニケの多項式は周知技術であるため概略的な説明に留めるが、ミラー面の形状Ｗを（ξ、η）で表した場合、ミラー面の形状Ｗはツェルニケの多項式を用いて
【数１】
2008097784.tif 000003
と表すことができる。これにより、ミラー面の形状はミラー面半径α、偏角θ、規格化半径ρ、さらにはツェルニケ係数Ｃｊを用いて近似することが可能となる。さらに各項は多項式であるため各項ごとに意味を持ち、独立して使用することが可能である。引用文献２では第六項と第七項を用いてミラー面の形状を近似することにより光の収差を軽減している。
【特許文献１】特開２００６−０９２６０２
【特許文献２】特開２００１−０３４９９３
【発明の開示】
【発明が解決しようとする課題】
【０００９】
上述した特許文献１の発明は、次のような課題があった。つまり、４つの圧電素子を用いてミラー面の形状を変化させるため、反射ミラーの構成が複雑となりコスト高となる。また、単純にｔａｎ方向の曲率半径とｒａｄ方向の曲率半径との比を変えただけでは、収差を完全に取り切れない場合がある。
【００１０】
また、特許文献２の発明は次のような課題がった。圧電膜素子を用いてツェルニケの多項式の六項と七項の形状を再現することによりコマ収差を低減するが、ツェルニケの多項式の六項と七項にて表現される面形状は複雑であるため圧電膜素子でしか応用できない。図１０は、ツェルニケの多項式の第六項と第七項で表現される面形状を表した図である。図中１０−ａが第六項により表現される波面を表し、１０−ｂが第七項により表現される波面を表す。同図１０−ｂより、ツェルニケの多項式の第七項にて表現される波面は中心部より対向するよう高低差を有する形状となっている。さらに、上述した第七項の形状を第六項の形状と合わせることによりさらに複雑な形状となる。そのため、形状可変ミラーを上述した形状とするには制御が複雑になる。
【００１１】
さらには、ツェルニケの多項式の第六項と第七項とを構成するツェルニケ係数Ｃ６、Ｃ７とは変数であるため、ミラー面の形状を算出する際、ツェルニケ係数Ｃ６、Ｃ７を変数とした式により形状を算出する必要がある。そのため、ミラー面の形状を簡易に算出することができない。
【００１２】
本発明は、上記課題にかんがみてなされたもので、収差を軽減する単純な構成の形状可変ミラーのミラー面の形状を簡易な方法で算出できることが可能な形状可変ミラーの設計方法、および上記形状可変ミラーを用いた光ピックアップ装置、さらには上記光ピックアップ装置を使用した記録再生装置の提供を目的とする。
【課題を解決するための手段】
【００１３】
上記目的を達成するために請求項２に記載の発明では、光源から出射される光を対物レンズに反射する形状可変ミラーの形状設計方法において、
上記形状可変ミラーは、反射する光の収差を低減させるためにミラー面の形状を、下記に記すツェルニケの多項式
【数１】
2008097784.tif 000004
の第四項と第五項を用いて算出する構成としてある。
【００１４】
上記のように構成した請求項２にかかる発明において、集光した光の収差を低減するために、形状可変ミラーのミラー面の形状は、ツェルニケの多項式の第四項と第五項とを用いて算出される。そのため、ミラー面の形状を、ミラー面半径α、偏角θ、規格化半径ρ、さらにはツェルニケ係数Ｃ４とＣ５を用いた簡単な式にて算出することができる。
【００１５】
上述した、ツェルニケの多項式を用いた形状可変ミラーのミラー面の形状の算出において、形状可変ミラーを算出する変数はツェルニケ係数Ｃ４、Ｃ５である。そのためツェルニケ係数Ｃ４、Ｃ５を関連付けることにより、形状可変ミラーの形状を算出するための変数をさらに減らして、より一層簡易な式により形状可変ミラーのミラー面の形状の算出を行うことができる。そのため請求項３にかかる発明では、上記ツェルニケの多項式の第四項と第五項を構成するツェルニケ係数Ｃ４、Ｃ５は、
【数２】
2008097784.tif 000005
の式を満たす構成としている。
【００１６】
上記のように構成した請求項３にかかる発明において、Ｃ４、Ｃ５の関係は上記式を用いて表される。これにより、ツェルニケ係数Ｃ４、およびＣ５は一方を変数とした計算式により表される。上述したツェルニケ係数Ｃ４、Ｃ５の関係式を用いることで、ミラー面を算出する式の変数をさらに減らすことができる。これにより収差を軽減する形状可変ミラーのミラー面の形状はツェルニケの多項式によりＣ４ないしＣ５を変数とした一次式により算出される。そのため、形状可変ミラーの形状を一次の変数を用いて簡易に近似することが可能となる。
【００１７】
さらに、上述した計算式を用いて算出された形状可変ミラーを用いた具体的な構成として、請求項４に記載の発明は、レーザーダイオードから出射されるレーザー光を形状可変ミラーによって対物レンズに反射するとともに、上記対物レンズにてレーザー光を光ディスクの読み取り面に集光する光ピックアップ装置において、
上記形状可変ミラーはミラー面の形状を、下記に記すツェルニケの多項式
【数１】
2008097784.tif 000006
の第四項と第五項を用いて算出することで、収差を低減させる構成としている。
【００１８】
上記のように構成した請求項４にかかる発明において、光ピックアップ装置は、上記式により算出される形状可変ミラーを用いることにより、単純な構造で球面収差を補正することができる。
【００１９】
さらに、上述した形状可変ミラーを用いた具体的な構成として請求項５の発明は、上記ツェルニケの多項式の第四項と第五項を構成するツェルニケ係数Ｃ４、Ｃ５は、
【数２】
2008097784.tif 000007
の式を満たす構成としている。
【００２０】
上記のように構成した発明では、簡易な式にて算出されたミラー面を有する形状可変ミラーを用いることで、単純な構造にて集光する光の収差を低減することができる。
【００２１】
また、上述した光ピックアップ装置を使用する具体的な構成として本発明の請求項１にかかる発明では、レーザーダイオードから出射されるレーザー光を形状可変ミラーによって対物レンズに反射するとともに、上記対物レンズにてレーザー光を光ディスクの読み取り面に集光する光ピックアップ装置と、上記形状可変ミラーの形状を制御する制御部とを有する記録再生装置において、
上記形状可変ミラーはミラー面の形状を、下記に記すツェルニケの多項式
【数１】
2008097784.tif 000008
の第四項と第五項を用いて算出することで、収差を低減させるとともに、上記ツェルニケの多項式の第四項と第五項を構成するツェルニケ係数Ｃ４、Ｃ５は、
【数２】
2008097784.tif 000009
の式を満たす構成としている。
【発明の効果】
【００２２】
以上説明したように本発明によれば、収差を軽減する単純な構成の形状可変ミラーのミラー面の形状を簡易な方法で算出できることができる。
また請求項３にかかる発明によれば、形状可変ミラーのミラー面の形状を算出するための変数をさらに減らして、より一層簡易に形状可変ミラーのミラー面の形状を算出することができる。
さらに請求項４、請求項５にかかる発明によれば、単純な構造の形状可変ミラーにて球面収差を補正することができる。
さらに請求項１のような、より具体的な構成において、上述した請求項２〜請求項５の各発明と同様の作用を奏することはいうまでもない。
【発明を実施するための最良の形態】
【００２３】
以下、下記の順序に従って本発明の光ピックアップ装置を説明する。
（１）光ピックアップ装置
（１−１）光ピックアップ装置の構成
（１−２）形状可変ミラーのミラー面の算出方法
（２）実施の形態
（３）まとめ
【００２４】
（１）光ピックアップ装置
（１−１）光ピックアップ装置の構成
以下、図１〜図５を参照して、光ピックアップ装置１０の構成を説明する。図１は本発明の光ピックアップ装置１０の構成図である。光ピックアップ装置１０は照射したレーザーを光ディスク１００の読み取り面に形成された微小なピット郡に集光するとともに、光ディスク１００を反射したレーザー光をディジタル信号に変換して読み取るためのものである。
【００２５】
光ピックアップ装置１０は上述した機能を実現するために、レーザー光を照射するレーザーダイオード１１と、入射されたレーザー光を集光させる対物レンズ１２と、対物レンズ１２を保持するレンズホルダ１３、レーザーダイオード１１から照射されるレーザー光を偏光させて対物レンズ１２に照射する光学系１４、光ディスク１００を反射したレーザー光を検知する検知器１５とから構成されている。また、本発明の実施の形態での対物レンズ１２は一枚であるが、対物レンズの枚数は１枚に限定されるものではなく用途によって適宜変更するものであればよい。
【００２６】
光学系１４は、レーザーダイオード１１から照射されたレーザー光を偏光するコリメータレンズ１４ｂと、偏光された光を光ディスク側に反射させる形状可変ミラー１４ａと、レーザーダイオード１１と形状可変ミラー１４ａとの間に位置し、レーザーダイオード１１からのレーザー光は透過し、光ディスク１００を反射したレーザー光は反射するハーフミラー１４ｃとから構成している。上記構成によりレーザーダイオード１１から照射されたレーザー光は、コリメータレンズ１４ｂにて偏光された後、形状可変ミラー１４ａにより上方略４５度の方向に反射され対物レンズ１２に照射される。対物レンズ１２は照射されたレーザー光を光ディスク１００の読み取り面に集光させる。また、ハーフミラー１４ｃを介して反射した光はシンドリカルレンズ１４ｄにて検知器１５に入射する。
【００２７】
形状可変ミラー１４ａは、印加電圧に基づいて形状を可変させて、光ディスクの各読み取り面に光を集光させるためのものである。具体的には、光ディスク１００は複数層からなる各読み取り面にて形成されており、形状可変ミラー１４ａは対物レンズ１２に反射する光の光路を変更して、対物レンズ１２が各読み取り面に光を集光させることができるよう形状を変形させる。さらに、本発明で使用する形状可変ミラー１４ａは、ミラー面の形状をツェルニケの多項式より算出される面に変化させることにより、読み取り面に集光する光の収差を軽減する構成としている。
【００２８】
本発明により使用する形状可変ミラー１４ａは、印加電圧によりｔａｎ方向とｒａｄ方向の変形を行うとともに、光を受光するミラー面の形状をツェルニケの多項式により算出される波面の形状を近似するものであればよい。そのため、形状可変ミラー１４ａは、ミラー面の形状を変化させるためのコントローラ１６と接続し、形状可変ミラー１４ａの形状を変化させる。また、形状可変ミラー１４ａのミラー部の横断面は、ツェルニケの多項式にて表される波面が円形であるため円形であることが望ましい。
【００２９】
以下に、上述した構成の光ピックアップ装置の機能について説明を行う。レーザーダイオード１１から照射されたレーザー光は、コリメータレンズ１４ｂにて偏光された後、形状可変ミラー１４ａに照射される。形状可変ミラー１４ａは、入射した光を略４５度反射させて対物レンズ１２に照射する。このとき、上述したように形状可変ミラー１４ａの形状を変化させるとともに、光を受光するミラー面の形状をツェルニケの多項式にて算出される面形状に変化させることにより、対物レンズ１２にて読み取り面に集光される光は収差を軽減する。
【００３０】
上記方法にて光ディスク１００の読み取り面に照射されたレーザー光は、読み取り面を反射して入射経路と同等の経路にてハーフミラー１４ｃに入射する。ハーフミラー１４ｃは入射したレーザー光を反射により検知器１５側に出射する。検知器１５は入射されたレーザー光を読み取りディジタル信号に変換して出力する。これにより光ピックアップ装置１０は、光ディスク１００のデータの読み取りを行う。本発明の実施の形態での検知器１５はフォトダイオードを利用してレーザー光をディジタル信号に変換している。
【００３１】
（１−２）形状可変ミラーのミラー面の算出方法
次に、形状可変ミラー１４ａの具体的なミラー面の形状算出方法を説明する。ツェルニケの多項式を用いて形状可変ミラー１４ａのミラー面の形状Ｗは
【数１】
2008097784.tif 000010
…（１）
と算出される。（１）式は多項式であるので、ｊ＝１〜の各項においてミラー面を近似するための所定の特徴を持ち合わせている。図２は、ツェルニケ多項式Ｚｊ（ρ、θ）のｊ＝１〜２０までの式を表した表である。同図より、ツェルニケ多項式Ｚｊ（ρ、θ）の第四項、第五項はそれぞれ
【数３】
2008097784.tif 000011
…（２）
となり、第四項と第五項は形状可変ミラー１４ａの形状を入射角φを用いてそれぞれ図３、図４のように表現する。図３は、ツェルニケの多項式の第四項により表される波面の図である。図４は、ツェルニケの多項式の第五項により表される波面の図である。
【００３２】
また、上述したツェルニケ多項式の第四項と第五項を用いて、形状可変ミラー１４ａのミラー面の形状Ｗ（ζ、η）は、
【数４】
2008097784.tif 000012
…（３）
と展開できる。このとき上記式を用いてｒａｄ方向の曲率はφ＝０°を代入することで計算でき、
２Ｃ４＋Ｃ５          …（４）
また、ｔａｎ方向の曲率はφ＝９０°を代入することで計算でき、
２Ｃ４−Ｃ５          …（５）
今、ｔａｎ方向の曲率半径に対するｒａｄ方向の曲率半径の比は
｛ｃｏｓ（２Φ）＋１｝／２      …（６）
であるので、上記（６）式を用いて、（４）式と（５）式との関係は、
｛ｃｏｓ（２Φ）＋１｝／２（２Ｃ４＋Ｃ５）＝２Ｃ４−Ｃ５
これをＣ４、Ｃ５により整理して
【数２】
2008097784.tif 000013
…（７）
以上よりツェルニケ係数Ｃ４、Ｃ５の関係式が算出される。
【００３３】
上述したツェルニケ係数Ｃ４、Ｃ５の関係によりＣ５ないしＣ４はもう一方（Ｃ４に対してはＣ５、Ｃ５に対してはＣ４）を変数とする式（７）により算出される。これにより、形状可変ミラー１４ａのミラー面の形状をツェルニケの多項式（１）を用いて算出する場合、ミラー面の形状Ｗ（ζ、η）は、変数をＣ４またはＣ５の一次式として算出することが可能となる。これにより光の収差を低減する形状可変ミラー１４ａのミラー面の形状を算出する際、Ｃ４ないしＣ５を変数とした一次式として表すことが可能となる。
【００３４】
次に、上記方法により算出した形状可変ミラー１４ａを使用することにより軽減された収差の値を図５を用いて説明する。図５は入射角φが３０度、４５度、６０度、７５度の場合での収差の値を表す図である。なお、通常、形状可変ミラー１４ａに入射される光の入射角φは４５度である。図より、使用する光ディスク１００は読み取り面が５層のＤＶＤを使用し、読み取り面までの距離であるカバー層厚はそれぞれ、Ｈ１：０．１２５、Ｈ２：０．０８５、Ｈ３：０．０６８、Ｈ４：０．０５５、Ｈ５：０．０３０（単位：ｍｍ）としている。また対物レンズからＤＶＤ表面までの距離ＷＤを１、３（単位：ｍｍ）としている。
【００３５】
図５より、入射角φが４５°の場合では、層Ｈ１〜Ｈ５までの収差はそれぞれ、Ｈ１において０．０３８から０．００へ、Ｈ２において、０．００７から０．０００へ、Ｈ３において０．０２から０．００１へ、Ｈ４において０．０３３から０．０００へ、Ｈ５において０．０５９から０．０００へ（単位：ｍλ）と収差が低減している。このことは、入射角θが３０°、６０°、７５°においても同様に光の収差は低減している。
【００３６】
（２）実施の形態
以下にこの発明に係る光ピックアップ装置１０を使用した実施の形態を説明する。図６は、本発明の光ピックアップ装置を使用した記録再生装置のブロック構成図である。記録再生装置２０は、ＤＶＤやＣＤ等の光ディスク１００に記録されたデータの記録および再生を行うためのものである。同図より、記録再生装置２０は、本発明の光ピックアップ装置１０と、光ディスク１００を回転させるスピンドルモータ２１と、光ディスクを載置するトレーをローディングするローディングモータ２２、光ディスクの再生または記録を行う信号処理基板２６、さらには電源を供給するための電源装置２４、さらにはリモコン装置２５からの操作信号を受信するリモコンＩ／Ｆ２３とから構成されている。
【００３７】
上述した構成により、光ディスク１００を再生するために光ディスク１００をトレー２０ａに載置してリモコン装置２５を操作すると、リモコン装置２５から出力された操作信号をリモコンＩ／Ｆ２３が読み取り信号処理基板２６に出力する。信号処理基板２６は、リモコンＩ／Ｆ２３を介してリモコン装置２５からの操作指示を受け入れると、ローディングモータ２２を駆動させトレー２０ａを記録再生装置２０に収容する。信号処理基板２６は、スピンドルモータ２１を駆動させて光ディスク１００を回転させる。
【００３８】
さらに、光ピックアップ装置１０は回転する光ディスク１００のピットに追従するよう移動し、光ディスク１００のデータの読み取りを行う。このとき、光ピックアップ装置１０は、ミラー面の形状を変形して光ディスク１００の読み取り面に集光する光の収差を軽減する。その後、読み取られたデータは信号処理基板２６に出力され、信号処理を施され入出力端子２７を介して外部に外部機器に出力される。信号処理基板２６の構成は周知技術であるため説明を省略する。
【００３９】
上述した記録再生装置２０は単体として機能を実現するものであるが、光ピックアップ装置１０を使用する実施の形態としては、単体で機能を実現するものに限定されず、製品に組み込むためのものであってもよい。そのため、第二の実施の形態の一例として、本発明の光ピックアップ装置１０を使用した記録再生ユニット３０を説明する。記録再生ユニット３０は、パーソナルコンピュータ等の製品に組み込まれ、光ディスク１００のデータの再生および取得したデータの記録を行うものである。もちろん、記録再生ユニット３０が組み込まれる製品としては、パーソナルコンピュータに限定されず、本発明の光ピックアップ装置１０を使用するものであれば、何にでも組み込むことができる。図７は、本発明の光ピックアップ装置１０を使用した記録再生ユニットを表すブロック図である。
【００４０】
同図より、記録再生ユニット３０は、本発明の光ピックアップ装置１０と、光ディスク１００を回転させるスピンドルモータ２１と、光ディスクを載置するトレーをローディングするローディングモータ２２、光ディスクの再生または、取得したデータを光ディスク１００に記録させるための制御を行う信号処理基板２６とから構成されている。上述した各ブロックは、第一の実施の形態と同様の機能を有するためここでは各機能の説明を省略する。上述した記録再生ユニット３０は、例えば記録再生ユニット３０の外部に配置されたマイコン等の制御部からの指示を受けて、光ピックアップ装置１０にて、光ディスク１００のデータの読み出し並びに取得したデータの記録を光ディスク１００に実行する。
【００４１】
（３）まとめ
以上説明したように、形状可変ミラー１４ａの光を受光するミラー面の形状は、ツェルニケの多項式の第四項と第五項により近似的に算出される。さらに、ツェルニケの多項式の第四項と第五項を構成するツェルニケ係数Ｃ４とＣ５は前述した（７）式によりＣ４とＣ５のどちらかを一方の変数とする値となる。前述した（７）式を（１）式に代入することで、形状可変ミラー１４ａのミラー面の形状は形状の算出が簡易となる。また、上記形状可変ミラー１４ａを使用した光ピックアップ装置１０を用いることで、簡易な構造で収差を軽減することが可能となる。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４３】
【図１】本発明の光ピックアップ装置１０の構成図である。
【図２】ツェルニケ多項式Ｚｊ（ρ、θ）のｊ＝１〜２０までの式を表した表である。
【図３】ツェルニケの多項式の第四項により表される波面の図である。
【図４】ツェルニケの多項式の第五項により表される波面の図である。
【図５】入射角が３０度、４５度、６０度、７５度の場合での収差の値を表す図である。
【図６】本発明の光ピックアップ装置を使用した記録再生装置のブロック構成図である。
【図７】本発明の光ピックアップ装置を使用した記録再生ユニットを表すブロック図である。
【図８】従来の光ピックアップ装置を表す図である。
【図９】形状可変ミラーと入射した光の反射航路を表す図である。
【図１０】ツェルニケの多項式の第六項と第七項で表現される波面を表した図である。
【符号の説明】
【００４４】
１０…光ピックアップ装置、１１…レーザーダイオード、１２…対物レンズ、１３…レンズホルダ、１４…光学系、１４ａ…形状可変ミラー、１４ｂ…コリメータレンズ、１４ｃ…ハーフミラー、１５…検知器、１６…コントローラ、２０…記録再生装置、２０ａ…トレー、２１…スピンドルモータ、２２…ローディングモータ、２３…リモコンＩ／Ｆ、２４…電源装置、２５…リモコン装置、２６…信号処理基板、２７…入出力端子、３０…記録再生ユニット、１００…光ディスク、
【図１】
2008097784.tif 000020
【図２】
2008097784.tif 000021
【図３】
2008097784.tif 000022
【図４】
2008097784.tif 000023
【図５】
2008097784.tif 000024
【図６】
2008097784.tif 000025
【図７】
2008097784.tif 000026
【図８】
2008097784.tif 000027
【図９】
2008097784.tif 000028
【図１０】
2008097784.tif 000029